(57)【要約】【課題】剥離部の縁の被膜を綺麗に切断することができる剥離刃、これを用いた被膜剥離装置、及び被膜付導線を提供する。【解決手段】導線２１を被覆する被膜２２を部分的に導線２１から剥離させる剥離刃３であって、第１面３１と、第１面３１との間で鋭角を成す第２面３２と、第１面３１と第２面３２との間の鋭角部分に形成された刃先部３５と、を備え、第２面３２の側縁には、刃先部３５の側縁から連続し、且つ刃先部３５の側縁から離れるに従って次第に第２面３２の幅方向に広がる側縁刃部３６が設けられている。【選択図】図３
2020182343.tif 000002
【特許請求の範囲】
【請求項１】
導線を被覆する被膜を部分的に前記導線から剥離させる剥離刃であって、
第１面と、
前記第１面との間で鋭角を成す第２面と、
前記第１面と前記第２面との間の鋭角部分に形成された刃先部と、
を備え、
前記第２面の側縁には、前記刃先部の側縁から連続し、且つ前記刃先部の側縁から離れるに従って次第に前記第２面の幅方向に広がる側縁刃部が設けられていることを特徴とする剥離刃。
【請求項２】
請求項１に記載の剥離刃であって、
前記第２面の側縁が位置する角部を面取りすることにより、前記側縁刃部が形成されていることを特徴とする剥離刃。
【請求項３】
請求項１又は請求項２に記載の剥離刃であって、
前記側縁刃部は、前記第２面の両側縁に設けられていることを特徴とする剥離刃。
【請求項４】
請求項１から請求項３の何れか１項に記載の剥離刃であって、
前記側縁刃部の前記第１面に対する垂直方向の寸法は、前記被膜の厚さよりも大きく設定されていることを特徴とする剥離刃。
【請求項５】
請求項１から請求項４の何れか１項に記載の剥離刃を備え、被膜付導線の前記導線を被覆する前記被膜を部分的に剥離させて前記導線の一部を露出させる被膜剥離装置であって、
前記被膜付導線を押さえる押さえ部と、
前記剥離刃を前記押さえ部で押さえられた前記被膜付導線に向かって進退させる進退機構と、
を備えることを特徴とする被膜剥離装置。
【請求項６】
導線と、前記導線を被覆する被膜とを備える被膜付導線の前記被膜を部分的に前記導線から剥離刃で剥離させる被膜剥離方法であって、
前記剥離刃は、
第１面と、
前記第１面との間で鋭角を成す第２面と、
前記第１面と前記第２面との間の鋭角部分に形成された刃先部と、
を備え、
前記第２面の側縁には、前記刃先部の側縁から連続し、且つ前記刃先部の側縁から離れるに従って次第に前記第２面の幅方向に広がる側縁刃部が設けられ、
前記側縁刃部の前記第１面に対する垂直方向の寸法は、前記被膜の厚さよりも大きく設定され、
前記被膜付導線の側方から前記剥離刃の刃先部を前記被膜付導線に差し込んで、前記被膜を突き破り、前記第１面が導線上を摺動するように、前記剥離刃を前記被膜付導線に対して先端側へ進行させることにより、前記側縁刃部で前記被膜を切断しながら、前記被膜を部分的に前記導線から剥離させることを特徴とする被膜剥離方法。
【請求項７】
導線と、前記導線を被覆する被膜と、を備える被膜付導線であって、
前記被膜が部分的に前記導線から剥離されて前記導線が露出した剥離部を備え、
前記被膜の剥離部側の縁には、前記剥離部に向かって次第に縮径するように面取りされた面取り部が設けられていることを特徴とする被膜付導線。
【発明の詳細な説明】
【技術分野】
【０００１】
本発明は、導線の絶縁被膜などの被膜を導線から切除するときに用いられる剥離刃、それを用いた被膜剥離装置、被膜剥離方法、及び被膜付導線、に関する。
【背景技術】
【０００２】
従来、先端に刃先部を備え、導線を被覆する被膜を刃先部で部分的に剥離させる剥離刃であって、導線上を摺動可能な摺動面と、導線から剥離された被膜がすくい上げられるように摺動面に対して傾斜したすくい面と、を備えるものが知られている（例えば、特許文献１参照）。
【先行技術文献】
【特許文献】
【０００３】
【特許文献１】特許第４０４２４０１号公報
【発明の概要】
【発明が解決しようとする課題】
【０００４】
従来の剥離刃では、剥離刃で剥離させた剥離部分の側縁の被膜が剥離刃で適切に切断されておらず、被膜が千切れて除去されている場合があった。
【０００５】
本発明は、以上の点に鑑み、剥離部の縁の被膜を綺麗に切断することができる剥離刃、これを用いた被膜剥離装置、被膜剥離方法、及び被膜付導線を提供することを目的とする。
【課題を解決するための手段】
【０００６】
［１］上記目的を達成するため、本発明は、
導線（例えば、実施形態の導線２１。以下同一。）を被覆する被膜（例えば、実施形態の被膜２２。以下同一。）を部分的に前記導線から剥離させる剥離刃（例えば、実施形態の剥離刃３。以下同一。）であって、
第１面（例えば、実施形態の第１面３１。以下同一。）と、
前記第１面との間で鋭角を成す第２面（例えば、実施形態の第２面３２。以下同一。）と、
前記第１面と前記第２面との間の鋭角部分に形成された刃先部（例えば、実施形態の刃先部３５。以下同一。）と、
を備え、
前記第２面の側縁には、前記刃先部の側縁から連続し、且つ前記刃先部の側縁から離れるに従って次第に前記第２面の幅方向に広がる側縁刃部（例えば、実施形態の側縁刃部３６。以下同一。）が設けられていることを特徴とする。
【０００７】
本発明によれば、被膜付導線の側方から剥離刃の刃先部を被膜付導線に差し込んで、被膜を突き破り、第１面が導線上を摺動するように、剥離刃を被膜付導線に対して先端側へ進行させることにより、被膜を部分的に導線から剥離させることができる。そして、剥離刃で被膜を剥離させる過程において、本発明によれば、側縁刃部が剥離部の縁の被膜に接触して切断できるため、側縁刃部によって被膜が導線から剥離された剥離部の縁の被膜を引き千切ることなく綺麗に切断することができる。
【０００８】
［２］また、本発明においては、前記第２面の側縁が位置する角部を面取りすることにより、前記側縁刃部を形成することができる。かかる構成によれば、面取りによって側縁刃部を容易に設けることができ、側縁刃部によって剥離部の縁の被膜を引き千切ることなく綺麗に切断することができる。
【０００９】
［３］また、本発明においては、前記側縁刃部は、前記第２面の両側縁に設けられていることが好ましい。かかる構成によれば、第２面の両側縁に設けられた側縁刃部によって、剥離部の両縁の被膜を綺麗に切断することができる。
【００１０】
［４］また、本発明においては、前記側縁刃部の前記第１面に対する垂直方向の寸法が、前記被膜の厚さよりも大きく設定されていることが好ましい。かかる構成によれば、剥離部の縁の被膜の厚さ方向全体を側縁刃部で綺麗に切断することができる。
【００１１】
［５］また、本発明の被膜剥離装置（例えば、実施形態の被膜剥離装置１。以下同一。）は、
前記剥離刃を備え、被膜付導線の前記導線を被覆する前記被膜を部分的に剥離させて前記導線の一部を露出させる被膜剥離装置であって、
前記被膜付導線を押さえる押さえ部（例えば、実施形態の押さえ部４。以下同一。）と、
前記押さえ部で押さえられた前記被膜付導線に向かって前記剥離刃を進退させる進退機構（例えば、実施形態の進退機構５。以下同一。）と、
を備えることを特徴とする。
【００１２】
本発明の被膜剥離装置によれば、第１面が導線上を摺動するように剥離刃の刃先を被膜付導線に差し込んで、被膜を部分的に導線から剥離させることにより、側縁刃部によって被膜が導線から剥離された剥離部の縁の被膜を綺麗に切断することができる。
【００１３】
［６］また、本発明の被膜剥離方法は、
導線と、前記導線を被覆する被膜とを備える被膜付導線の前記被膜を部分的に前記導線から剥離刃で剥離させる被膜剥離方法であって、
前記剥離刃は、
第１面と、
前記第１面との間で鋭角を成す第２面と、
前記第１面と前記第２面との間の鋭角部分に形成された刃先部と、
を備え、
前記第２面の側縁には、前記刃先部の側縁から連続し、且つ前記刃先部の側縁から離れるに従って次第に前記第２面の幅方向に広がる側縁刃部が設けられ、
前記側縁刃部の前記第１面に対する垂直方向の寸法は、前記被膜の厚さよりも大きく設定され、
前記被膜付導線の側方から前記剥離刃の刃先部を前記被膜付導線に差し込んで、前記被膜を突き破り、前記第１面が導線上を摺動するように、前記剥離刃を前記被膜付導線に対して先端側へ進行させることにより、前記側縁刃部で前記被膜を切断しながら、前記被膜を部分的に前記導線から剥離させることを特徴とする。
【００１４】
本発明の被膜剥離方法によれば、剥離部の縁の被膜の厚さ方向全体を側縁刃部で綺麗に切断することができる。
【００１５】
［７］また、本発明の被膜付導線（例えば、実施形態の被膜付導線２。以下同一。）は、
導線と、前記導線を被覆する被膜と、を備える被膜付導線であって、
前記被膜が部分的に前記導線から剥離されて前記導線が露出した剥離部（例えば、実施形態の剥離部２３。以下同一。）を備え、
前記被膜の剥離部側の縁には、前記剥離部に向かって次第に縮径するように面取りされた面取り部（例えば、実施形態の面取り部２４。以下同一。）が設けられていることを特徴とする。
【００１６】
本発明の被膜付導線によれば、被膜の剥離部側の縁に面取り部が設けられていることにより、被膜付導線の被膜の縁が千切れた状態となることを防止することができる。また、被膜の縁が千切れた状態であると、この千切れた部分から被膜が割れ易くなるが、本発明の被膜付導線のように面取り部を設けることにより、被膜の割れを防止することができる。本発明の被膜付導線は、前記剥離刃または前記被膜剥離装置を用いて被覆を剥離させることにより、容易に製造することができる。
【図面の簡単な説明】
【００１７】
【図１】発明の第１実施形態の被膜剥離装置を上方から模式的に示す説明図。
【図２】第１実施形態の剥離刃を側方から模式的に示す説明図。
【図３】第１実施形態の側縁刃部を拡大して示す模式図。
【図４】発明の第２実施形態の剥離刃の側縁刃部を拡大して示す模式図。
【図５】発明の第３実施形態の剥離刃の側縁刃部を拡大して示す模式図。
【図６】比較例の被膜剥離装置を上方から模式的に示す説明図。
【発明を実施するための形態】
【００１８】
図を参照して、発明の第１実施形態の剥離刃を用いた被膜剥離装置、及び被膜付導線を説明する。図１に示すように、本実施形態の被膜剥離装置１は、断面矩形状の被膜付導線２の導線２１を被覆する被膜２２を部分的に導線２１から剥離させる剥離刃３と、被膜付導線２を押さえる押さえ部４と、押さえ部４で押さえられた被膜付導線２に向かって剥離刃３を進退させる直動アクチュエータなどで構成される進退機構５と、を備える。図１の点線は剥離される前の被膜２２を示している。
【００１９】
図２に示すように、剥離刃３は、第１面３１（底面）と、第１面３１との間において先端側で鋭角を成す第２面３２と、第２面３２の基端から後方に延び、且つ第１面３１と平行な第３面３３（上面）と、第１面３１の幅方向の側縁と第３面３３の幅方向の側縁とを接続する一対の第４面３４（側面）と、を備える。また、第１面３１と第２面３２との間の鋭角部分には刃先部３５が設けられている。第２面３２の両側縁には、刃先部３５の各側縁から連続し、且つ刃先部３５の側縁から離れるに従って次第に第２面３２の幅方向に広がる側縁刃部３６が設けられている。
【００２０】
図３に示すように、側縁刃部３６は、第２面３２の側縁が位置する角部３７を面取りすることにより容易に形成することができる。図３では、剥離刃３の角部３７を点線で示している。図２に示すように、側縁刃部３６の第１面３１に対する垂直方向の寸法Ｈは、被膜２２の厚さＤよりも大きく設定されている。
【００２１】
剥離刃３は、進退機構５によって被膜付導線２に向かって前進したときに、剥離刃３の刃先部３５が導線２１と被膜２２との境界、又は導線２１の表面を削り取るように押さえ部４で押さえられた被膜付導線２に差し込まれるように配置されている。
【００２２】
次に、発明の実施形態の被膜剥離方法を、上記剥離刃３及び被膜剥離装置１を用いて説明する。まず、押さえ部４で被膜付導線２を押さえた状態で、剥離刃３を進退機構５によって前進させて、被膜付導線２に刃先部３５を差し込んで、刃先部３５で被膜２２を突き破る。そして、剥離刃３を更に前進させて、第１面３１が導線２１の表面（導線２１が部分的に削り取られた後の表面を含む）を摺動しながら前進していく。
【００２３】
このとき、刃先部３５が被膜２２を導線２１から剥離させると共に、側縁刃部３６が剥離される被膜２２の幅方向の側縁を切断していく。従って、第２面３２に沿うようにすくい上げられた剥離された被膜の側縁は、千切れることなく側縁刃部３６によって綺麗に切断された断面となる。
【００２４】
図１に示すように、被膜付導線２には、被膜剥離装置１の剥離刃３によって被膜２２が部分的に導線２１から剥離されることにより、導線２１が部分的に露出した剥離部２３が形成される。被膜２２の剥離部２３側の縁には、側縁刃部３６によって被膜２２が切断されることにより、剥離部２３に向かって次第に縮径するように面取りされた面取り部２４が設けられている。
【００２５】
本実施形態の剥離刃３、被膜剥離装置１、被膜剥離方法によれば、第１面３１が導線２１上を摺動するように剥離刃３の刃先部３５を被膜付導線２に差し込んで、被膜２２を部分的に導線２１から剥離させることにより、側縁刃部３６によって被膜２２が導線２１から剥離された剥離部２３の縁の被膜２２を綺麗に切断することができる。
【００２６】
また、図２に示すように、側縁刃部３６の第１面３１に対する垂直方向の寸法Ｈは、被膜２２の厚さＤよりも大きく設定されているため、側縁刃部３６で剥離された剥離部２３の縁の被膜２２の厚さ方向全体を側縁刃部３６で綺麗に切断することができる。
【００２７】
また、図１に示すように、本実施形態の被膜付導線２によれば、被膜２２の剥離部２３側の縁に面取り部２４が設けられていることにより、被膜付導線２の被膜２２の縁が千切れた状態となることを防止することができる。
【００２８】
また、図６に比較例として示すように、従来の側縁刃部を備えていない剥離刃で被膜を部分的に剥離させた被膜付導線では、剥離部側の被膜の縁が千切れてしまうことがあり、この千切れた部分から被膜が割れ易くなる。しかしながら、図１に示すように、本実施形態の被膜付導線２のように被膜２２の縁に面取り部２４を設けることにより、被膜２２の縁の千切れを防止することができ、千切れた部分の存在による被膜２２の割れを防止することができる。
【００２９】
また、本実施形態の被膜付導線２によれば、被膜２２の縁の千切れを防止することができるため、剥離部２３の導線２１を他の部材に電気的に接続させるときに、千切れた被膜２２の一部が誤って他の部材と導線２１の間に挟まれることがない。従って、従来のように剥離部２３を千切れた部分を考慮して広く設定する必要がなく、剥離部２３を精度よく形成することができる。
【００３０】
なお、本実施形態の側縁刃部３６は直線形状であるものを用いて説明したが、本発明の側縁刃部はこれに限らない。例えば、図４に示す発明の第２実施形態の剥離刃３のように、側縁刃部３６を曲線形状に形成しても、本発明の「剥離部の縁の被膜を綺麗に切断することができる」という作用効果を得ることができる。
【００３１】
また、本実施形態において、被膜２２の剥離残りを防止するために、剥離刃３が導線２１の一部と被膜２２を剥離するのが普通であるが、被膜２２のみを剥離してもよい。
【００３２】
また、本実施形態においては、第１面３１の幅方向の端縁を全て面取りすることによって側縁刃部３６を形成するものを説明したが、図５に発明の第３実施形態として示すように、第１面３１の幅方向の端縁のうち先端側の一部分のみを面取りして側縁刃部３６を形成してもよい。
【００３３】
また、本実施形態の被膜付導線２は、剥離刃３または被膜剥離装置１を用いて被膜２２を剥離させることにより、容易に製造することができるが、本発明の被膜付導線の製造方法はこれに限らない。例えば、従来の剥離刃で被膜を剥離した後、被膜の剥離部側の縁を被膜剥離工程とは別の工程として面取り加工を施すことにより形成してもよい。
【符号の説明】
【００３４】
１  被膜剥離装置
２  被膜付導線
３  剥離刃
４  押さえ部
５  進退機構
２１  導線
２２  被膜
２３  剥離部
２４  面取り部
３１  第１面（底面）
３２  第２面
３３  第３面（上面）
３４  第４面（側面）
３５  刃先部
３６  側縁刃部
３７  角部
Ｈ  側縁刃部の第１面に対する垂直方向の寸法
Ｄ  被膜の厚さ
【図１】
2020182343.tif 000003
【図２】
2020182343.tif 000004
【図３】
2020182343.tif 000005
【図４】
2020182343.tif 000006
【図５】
2020182343.tif 000007
【図６】
2020182343.tif 000008